【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
画像データと該画像データの格納要求とを第１の画像処理装置から受信する受信手段と、
複数の画像処理装置の空きリソースを調べ、前記画像データの少なくとも一部を共通フォーマットの画像データに変換するＮ台（Ｎは自然数）の画像処理装置を決定する決定手段と、
前記画像データをＮ個のデータに分割し、分割されたデータと前記第１の画像処理装置の機器プロファイルとを前記Ｎ台の画像処理装置に送信する送信手段と、
を備えることを特徴とする情報処理装置。
【請求項２】
前記Ｎ台の画像処理装置は、前記分割されたデータを前記機器プロファイルを用いて前記共通フォーマットの画像データに変換し、変換後の画像データを格納する画像処理装置に送信することを特徴とする請求項１に記載の情報処理装置。
【請求項３】
前記空きリソースは、空きＣＰＵリソースであることを特徴とする請求項１に記載の情報処理装置。
【請求項４】
前記複数の画像処理装置のＨＤＤリソースを調べ、ＨＤＤリソースの空きがある画像処理装置を前記変換後の画像データを格納する画像処理装置として決定する第２の決定手段をさらに備えることを特徴とする請求項２に記載の情報処理装置。
【請求項５】
前記第１の画像処理装置のＨＤＤリソースに空きがある場合、前記第１の画像処理装置が前記変換後の画像データを格納する画像処理装置となることを特徴とする請求項２に記載の情報処理装置。
【請求項６】
前記第１の画像処理装置により読み取られたパッチ画像に基づき前記機器プロファイルを作成する作成手段をさらに備えることを特徴とする請求項１に記載の情報処理装置。
【請求項７】
画像データと該画像データの格納要求とを第１の画像処理装置から受信する受信工程と、
複数の画像処理装置の空きリソースを調べ、前記画像データの少なくとも一部を共通フォーマットの画像データに変換するＮ台（Ｎは自然数）の画像処理装置を決定する決定工程と、
前記画像データをＮ個のデータに分割し、分割されたデータと前記第１の画像処理装置の機器プロファイルとを前記Ｎ台の画像処理装置に送信する送信工程と、
を備えることを特徴とする情報処理装置の制御方法。
【請求項８】
前記Ｎ台の画像処理装置は、前記分割されたデータを前記機器プロファイルを用いて前記共通フォーマットの画像データに変換し、変換後の画像データを格納する画像処理装置に送信することを特徴とする請求項７に記載の情報処理装置の制御方法。
【請求項９】
前記空きリソースは、空きＣＰＵリソースであることを特徴とする請求項７に記載の情報処理装置の制御方法。
【請求項１０】
前記複数の画像処理装置のＨＤＤリソースを調べ、ＨＤＤリソースの空きがある画像処理装置を前記変換後の画像データを格納する画像処理装置として決定する第２の決定工程をさらに備えることを特徴とする請求項８に記載の情報処理装置の制御方法。
【請求項１１】
前記第１の画像処理装置のＨＤＤリソースに空きがある場合、前記第１の画像処理装置が前記変換後の画像データを格納する画像処理装置となることを特徴とする請求項８に記載の情報処理装置の制御方法。
【請求項１２】
前記第１の画像処理装置により読み取られたパッチ画像に基づき前記機器プロファイルを作成する作成工程をさらに備えることを特徴とする請求項７に記載の情報処理装置の制御方法。
【請求項１３】
コンピュータに、
画像データと該画像データの格納要求とを第１の画像処理装置から受信する受信工程と、
複数の画像処理装置の空きリソースを調べ、前記画像の少なくとも一部を共通フォーマットの画像データに変換するＮ台（Ｎは自然数）の画像処理装置を決定する決定工程と、
前記画像データをＮ個のデータに分割し、分割されたデータと前記第１の画像処理装置の機器プロファイルとを前記Ｎ台の画像処理装置に送信する送信工程と、
を実行させるためのコンピュータプログラム。
【請求項１４】
プリント要求を受信する受信手段と、
Ｎ個（Ｎは自然数）の画像データに分割された前記プリント要求の対象となる画像データを格納するＮ台の画像処理装置を特定する特定手段と、
複数の画像処理装置の空きＣＰＵリソースを調べ、分割された画像データを前記プリント要求を送信した画像処理装置が処理可能なフォーマットの画像データに変換するＭ台（Ｍは自然数）画像処理装置を決定する決定手段と、
前記Ｍ台の画像処理装置に対するＭ個の画像変換ジョブを作成し、該Ｍ台の画像処理装置に送信する送信手段と、
を備えることを特徴とする情報処理装置。
【請求項１５】
前記Ｍ台の画像処理装置から変換後の画像データを受信する受信手段と、
受信した変換後の画像データをマージして前記プリント要求を送信した画像処理装置に送信する送信手段と、
をさらに備えることを特徴とする請求項１４に記載の情報処理装置。
【請求項１６】
プリント要求を受信する受信工程と、
Ｎ個（Ｎは自然数）の画像データに分割された前記プリント要求の対象となる画像データを格納するＮ台の画像処理装置を特定する特定工程と、
複数の画像処理装置の空きＣＰＵリソースを調べ、分割された画像データを前記プリント要求を送信した画像処理装置が処理可能なフォーマットの画像データに変換するＭ台（Ｍは自然数）画像処理装置を決定する決定工程と、
前記Ｍ台の画像処理装置に対するＭ個の画像変換ジョブを作成し、該Ｍ台の画像処理装置に送信する送信工程と、
を備えることを特徴とする情報処理装置の制御方法。
【請求項１７】
前記Ｍ台の画像処理装置から変換後の画像データを受信する第２の受信工程と、
受信した変換後の画像データをマージして前記プリント要求を送信した画像処理装置に送信する第２の送信工程と、
をさらに備えることを特徴とする請求項１４に記載の情報処理装置の制御方法。
【請求項１８】
コンピュータに、
プリント要求を受信する受信工程と、
Ｎ個（Ｎは自然数）の画像データに分割された前記プリント要求の対象となる画像データを格納するＮ台の画像処理装置を特定する特定工程と、
複数の画像処理装置の空きＣＰＵリソースを調べ、分割された画像データを前記プリント要求を送信した画像処理装置が処理可能なフォーマットの画像データに変換するＭ台（Ｍは自然数）画像処理装置を決定する決定工程と、
前記Ｍ台の画像処理装置に対するＭ個の画像変換ジョブを作成し、該Ｍ台の画像処理装置に送信する送信工程と、
を実行させるためのコンピュータプログラム。
【手続補正２】
【補正対象書類名】明細書
【補正対象項目名】発明の名称
【補正方法】変更
【補正の内容】
【発明の名称】情報処理装置およびその制御方法
【手続補正３】
【補正対象書類名】明細書
【補正対象項目名】０００１
【補正方法】変更
【補正の内容】
【０００１】
本発明は、情報処理装置およびその制御方法に関し、より詳細には、スキャナなどにより文書を読み取って電子化された画像データを、ネットワークを介して接続された複数の画像処理装置で分散させて処理する技術に関するものである。
【手続補正４】
【補正対象書類名】明細書
【補正対象項目名】００４４
【補正方法】変更
【補正の内容】
【００４４】
上記目的の少なくとも１つを達成するため、本発明の画像処理装置は以下の構成を備える。すなわち、画像データと該画像データの格納要求とを第１の画像処理装置から受信する受信手段と、複数の画像処理装置の空きリソースを調べ、前記画像データの少なくとも一部を共通フォーマットの画像データに変換するＮ台（Ｎは自然数）の画像処理装置を決定する決定手段と、前記画像データをＮ個のデータに分割し、分割されたデータと前記第１の画像処理装置の機器プロファイルとを前記Ｎ台の画像処理装置に送信する送信手段と、を備える。
【手続補正５】
【補正対象書類名】明細書
【補正対象項目名】００４５
【補正方法】変更
【補正の内容】
【００４５】
上記目的の少なくとも１つを達成するため、本発明の画像処理装置は以下の構成を備える。すなわち、プリント要求を受信する受信手段と、Ｎ個（Ｎは自然数）の画像データに分割された前記プリント要求の対象となる画像データを格納するＮ台の画像処理装置を特定する特定手段と、複数の画像処理装置の空きＣＰＵリソースを調べ、分割された画像データを前記プリント要求を送信した画像処理装置が処理可能なフォーマットの画像データに変換するＭ台（Ｍは自然数）画像処理装置を決定する決定手段と、前記Ｍ台の画像処理装置に対するＭ個の画像変換ジョブを作成し、該Ｍ台の画像処理装置に送信する送信手段と、を備える。
【手続補正６】
【補正対象書類名】明細書
【補正対象項目名】００４６
【補正方法】変更
【補正の内容】
【００４６】
上記目的の少なくとも１つを達成するため、本発明の画像処理装置の制御方法は以下の構成を備える。すなわち、画像データと該画像データの格納要求とを第１の画像処理装置から受信する受信工程と、複数の画像処理装置の空きリソースを調べ、前記画像データの少なくとも一部を共通フォーマットの画像データに変換するＮ台（Ｎは自然数）の画像処理装置を決定する決定工程と、前記画像データをＮ個のデータに分割し、分割されたデータと前記第１の画像処理装置の機器プロファイルとを前記Ｎ台の画像処理装置に送信する送信工程と、を備える。
【手続補正７】
【補正対象書類名】明細書
【補正対象項目名】００４７
【補正方法】変更
【補正の内容】
【００４７】
上記目的の少なくとも１つを達成するため、本発明の画像処理装置の制御方法は以下の構成を備える。すなわち、プリント要求を受信する受信工程と、Ｎ個（Ｎは自然数）の画像データに分割された前記プリント要求の対象となる画像データを格納するＮ台の画像処理装置を特定する特定工程と、複数の画像処理装置の空きＣＰＵリソースを調べ、分割された画像データを前記プリント要求を送信した画像処理装置が処理可能なフォーマットの画像データに変換するＭ台（Ｍは自然数）画像処理装置を決定する決定工程と、前記Ｍ台の画像処理装置に対するＭ個の画像変換ジョブを作成し、該Ｍ台の画像処理装置に送信する送信工程と、を備える。
【手続補正８】
【補正対象書類名】明細書
【補正対象項目名】００４８
【補正方法】削除
【補正の内容】
【手続補正９】
【補正対象書類名】明細書
【補正対象項目名】００４９
【補正方法】削除
【補正の内容】
【手続補正１０】
【補正対象書類名】明細書
【補正対象項目名】００５０
【補正方法】削除
【補正の内容】
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】